Podtech/llm-jp-corpus-v4-ja_patent huggingface dataset:
(57)【要約】【課題】支柱に取付けた主棚板支持用の左右１対のブラケットをもって、必要に応じ、補助棚板をも、簡単に支持させうるようにする。【解決手段】左右の支柱１の前面に、棚板支持用ブラケット３を取付け、各ブラケット３をもって、主棚板４を支持するとともに、各ブラケット３に、主棚板４の下方に位置する補助棚を吊支する。【選択図】　　　　図２
2004049751.tif 000002
【特許請求の範囲】
【請求項１】
左右の支柱の前面に、棚板支持用ブラケットを取付け、各ブラケットをもって、主棚板を支持するとともに、各ブラケットに、主棚板の下方に位置する補助棚を吊支したことを特徴とする商品陳列装置。
【請求項２】
補助棚板の左右両側縁の上向片の上端に形成した内向係止片を、ブラケットの上縁に着脱自在に係止したことを特徴とする請求項１記載の商品陳列装置。
【請求項３】
ブラケットの上縁適所に下向係合溝を形成し、この下向係合溝に、補助棚板に設けた内向鈎片を係合したことを特徴とする請求項２記載の商品陳列装置。
【発明の詳細な説明】
【０００１】
【発明の属する技術分野】
本発明は、展示用商品を載置陳列するための主棚板の下側に、カタログその他の低寸の物品を載置しうる補助棚板を取付けた商品陳列装置に関する。
【０００２】
【従来の技術】
商品陳列用の主棚板の直下に、その商品に関係するカタログや、付帯商品等の低寸の物品を載置しうる補助棚板を配設してあると、顧客サービス上および販売促進上有利である。
【０００３】
そのため、主棚板の下方に、比較的小さな間隔をもって、補助棚板を取付けた商品陳列装置が、従来知られている。
【０００４】
【発明が解決しようとする課題】
主棚板と、補助棚板とを一体化した従来の商品陳列棚では、全体の厚さおよび重量が大となって、取扱いに不便であり、また補助棚板を必要としない場合には、一体化された主棚板と補助棚板を支柱から取外し、その後、改めて主棚板のみを取付けなければならないので面倒であった。
【０００５】
【課題を解決するための手段】
本発明は、上記した現状に鑑み、支柱に取付けた主棚板支持用の左右１対のブラケットをもって、必要に応じ、補助棚板をも、簡単に支持させうるようにした商品陳列装置を提供することを目的とし、その具体的手段は、次の如くである。
（１）左右の支柱の前面に、棚板支持用ブラケットを取付け、各ブラケットをもって、主棚板を支持するとともに、各ブラケットに、主棚板の下方に位置する補助棚を吊支する。
【０００６】
（２）上記（１）項において、補助棚板の左右両側縁の上向片の上端に形成した内向係止片を、ブラケットの上縁に着脱自在に係止する。
【０００７】
（３）上記（２）項において、ブラケットの上縁適所に下向係合溝を形成し、この下向係合溝に、補助棚板に設けた内向鈎片を係合する。
【０００８】
【発明の実施の形態】
図１は、本発明の商品陳列装置全体を示し、左右の支柱（１）（１）の前面に、縦方向に列設された多数の係合孔（２）の任意所望のものに棚板支持用ブラケット（３）を取付け、その上面に主棚板（４）の両側を支持させるとともに、主棚板（４）の下方に位置する補助天板（５）の両側における上向片（６）の上端を係止してある。
【０００９】
ブラケット（３）に対する主棚板（４）の支持要領は従来の通常のものと変るところはないので、以下、図２〜図６を参照して、ブラケット（３）に対する主棚板（４）の取付け、および補助棚板（５）の吊支要領について説明する。
【００１０】
主棚板（４）の裏面の前後方向の中間部には、断面Ｕ形をなす左右方向の補強杆（７）の上端の水平フランジ（８）（８）が、スポット溶接等により固着されている。補強杆（７）の側端は、主棚板（４）の下向側片（９）の内面よりやや内方に位置している。
【００１１】
主棚板（４）の後部には、その下向側片（９）まで達する下向係止片（１０）が設けられている。
【００１２】
ブラケット（３）の上縁前後部には、それぞれ、下向係合溝（１１）（１２）が設けられている。
【００１３】
補助棚板（５）の上向片（６）の上縁前後には、内方に向かった後、下降する内向係合片（１３）（１４）が設けられ、前部の内向係合片（１３）の前端には、左右方向を向く鈎片（１５）が、一体に設けられている。
【００１４】
ブラケット（３）を支柱（１）の前面に係止した後、補助棚板（５）の上向片（６）をブラケット（３）の外側面に当接し、かつその上端の内向係合片（１３）（１４）を、ブラケット（３）の外側からその上縁に係止するとともに、前部の内向係合片（１３）の前端の鈎片（１５）を、ブラケット（３）の前部の下向係合溝（１１）へ嵌合する。
これにより補助棚板（５）は、前後左右に移動し得ないようにして、ブラケット（３）に吊支される。
【００１５】
ついで、主棚板（４）の下向側片（９）を、上方から補助棚板（５）の上向片（６）の外側へ重合させると、主棚板（４）の下面後部の下向係止片（１０）は、ブラケット（３）の後部上縁の下向係合溝（１２）へ嵌合し、主棚板（４）は、前後左右に移動し得ないようにして、ブラケット（３）に取付けられる。
【００１６】
補助棚板（５）が不要の際には、主棚板（４）を若干持ち上げることにより、これを簡単に取外すことができる。
【００１７】
【発明の効果】
請求項１記載の発明によると、必要に応じ、主棚板の下方に、補助棚板を簡単に着脱することができる。
【００１８】
請求項２記載の発明によると、補助棚板は、側方移動しないようにして、ブラケットに取付けられる。
【００１９】
請求項３記載の発明によると、補助棚板は、前後および側方へ移動しないようにしてブラケットに取付けられる。
【図面の簡単な説明】
【図１】本発明の一実施形態を示す前方斜視図である。
【図２】同じく要部の一部切欠分解斜視図である。
【図３】同じく組立てた状態における要部の一部切欠斜視図である。
【図４】図３におけるＩＶ−ＩＶ線拡大横断面図である。
【図５】図３におけるＶ−Ｖ線拡大縦断面図である。
【図６】要部の一部切欠平面図である。
【符号の説明】
（１）支柱
（２）係合孔
（３）ブラケット
（４）主棚板
（５）補助棚板
（６）上向片
（７）補強杆
（８）水平フランジ
（９）下向側片
（１０）下向係止片
（１１）（１２）下向係合溝
（１３）（１４）内向係合片
（１５）鈎片
【図１】
2004049751.tif 000003
【図２】
2004049751.tif 000004
【図３】
2004049751.tif 000005
【図４】
2004049751.tif 000006
【図５】
2004049751.tif 000007
【図６】
2004049751.tif 000008
(57)【要約】【課題】タオルに表示されているカレンダーを見ると同時に、広告にも注目させ、宣伝効果を向上させる。【解決手段】タオルとしてふさわしい大きさを有するタオル生地２に、カレンダー表示３及び広告表示４を設ける。【選択図】　　　　図１
2004049752.tif 000002
【特許請求の範囲】
【請求項１】
タオルとしてふさわしい大きさを有するタオル生地に、カレンダー表示及び広告表示を設けてなるカレンダー表示つきタオル。
【請求項２】
展張されたタオルを長さ方向の中央部で２つ折りにした際、その折り目で線対称になるように、カレンダー表示を設けてなる請求項１記載のカレンダー表示つきタオル。
【請求項３】
特売日等の広告主に特有の情報を、カレンダー表示に加えたことを特徴とする請求項１又は２に記載のカレンダー表示つきタオル。
【発明の詳細な説明】
【０００１】
【発明の属する技術分野】
本発明は、カレンダー表示つきタオルに関する。
【０００２】
【従来の技術】
タオルに、販売促進用に、社名あるいは店名等を表示して、無償で頒布されることが多い。
【０００３】
しかし、タオルに表示された広告を注意深く見る人はあまりいないので、高い宣伝効果を期待することはできないのが実情である。
【０００４】
【発明が解決しようとする課題】
本発明は、前記の問題に対処してなされたもので、タオルに、カレンダー表示と広告表示を設けておくことにより、カレンダーを見ると同時に、タオルに表示されている広告にも注目させ、宣伝効果を向上させることを目的とする。
【０００５】
【課題を解決するための手段】
本発明によると上記課題は、次のようにして解決される。
（１）　タオルとしてふさわしい大きさを有するタオル生地に、カレンダー表示及び広告表示を設ける。
【０００６】
（２）（１）項において、展張されたタオルを長さ方向の中央部で２つ折りにした際、その折り目で線対称になるように、カレンダー表示を設ける。
【０００７】
（３）（１）項又は（２）項において、特売日等の広告主に特有の情報を、カレンダー表示に加える。
【０００８】
【発明の実施の形態】
図１は、本発明のカレンダー表示つきタオルの使用状態を示す正面図、図２は、図１に示すカレンダー表示つきタオルの展開図である。
【０００９】
本発明のカレンダー表示つきタオル（１）は、図１に示すように、通常、タオル掛け（Ａ）に掛けて使用されるものであり、タオル生地（２）に、織り込み、印刷あるいは刺繍等によって、カレンダー表示（３）及び広告表示（４）が施されている。
【００１０】
カレンダー表示（３）は、展張されたタオルを長さ方向中央部で２つ折りにした際、その折り目（５）で、線対称でかつ折り目（５）が上方になるように、半年分ずつカレンダー表示がなされている。
【００１１】
カレンダー表示（３）の下方には、店名、商品名、連絡先等の広告表示（４）が施されている。
【００１２】
このカレンダー表示つきタオル（１）を使用するには、タオル掛け（Ａ）に、その月が属する面が表にくるように掛けておく。
【００１３】
カレンダー表示（３）は、上記実施の形態では、半年分ずつ表示してあるが、１ヶ月分ずつあるいは、２・３・４か月分ずつ、表示しても良い。
【００１４】
図３は、他の実施の形態を示す展開図である。
【００１５】
この実施の形態は、２ヶ月ずつを表示するようになっているもので、例えば広告主が、スーパーや小売店である場合には、通常のカレンダー表示に加えて、その広告主特有の情報を加えた例を示す。
【００１６】
例えば特売日、ポイント２倍サービスデイ等に当たる日の表示を色違いとするか、あるいは特売日マーク（６）を附しておけば、その店の利用者は、特売日等を知るために、本発明品であるカレンダー表示つきタオルを、しばしば利用することとなり、その都度、広告表示が目に入るにで、宣伝効果が発揮される。
【００１７】
【発明の効果】
本発明によると、次のような効果が奏せられる。
１）　請求項１記載の発明によれば、タオルの機能とカレンダーの機能を、合わせ持っているので、トイレ等において、別途カレンダーを掲示する必要がなく、また洗面所や風呂場等で、タオルとして使用する際にも、くつろぎながら、カレンダーを見て、スケジュールを練ったりすることができるので便利である。
【００１８】
また、カレンダーとして利用する際、自然に広告が目に入るので、宣伝機能が発揮される。
【００１９】
販促品として提供した場合、仕舞い込まれないで、目につき易いところに掲示される可能性が高く、永続的に宣伝効果が発揮される。
【００２０】
さらに、カレンダーとしての使用後も、タオルとして使用できるので、妄りに廃棄されることはなく、環境対策的に好ましい。
【００２１】
２）　請求項２記載の発明によれば、タオル掛けに掛けて、長期間に亘って使用できる。
【００２２】
３）請求項３記載の発明によれば、需要者は、広告主特有の特売日等のデータを知るために、このタオルを使用することとなるので、宣伝効果が向上する。
【図面の簡単な説明】
【図１】本発明のカレンダー表示つきタオルの使用状態を示す正面図である。
【図２】カレンダー表示つきタオルの展開図である。
【図３】他の実施の形態を示すカレンダー表示つきタオルの展開図である。
【符号の説明】
（１）カレンダー表示つきタオル
（２）タオル生地
（３）カレンダー表示
（４）広告表示
（５）折り目
（６）特売日マーク
（Ａ）タオル掛け
【図１】
2004049752.tif 000003
【図２】
2004049752.tif 000004
【図３】
2004049752.tif 000005
(57)【要約】【課題】呼吸が楽にでき、就寝時にマスクによる息苦しさ、又は窮屈さを感じることなく、顔面に保湿を保ちつつ、自由に寝返りもできる、非接触型のマスクを提供する。【解決手段】比較的気密性のある布地で、ドーム型又は円錐形の形を作り、それを維持するための針金又は、プラスチックの細い棒状の物で円形の骨を入れる。そして円錐型の頂上部分を、紐により吊り下げるものである。【選択図】　　　図２
2004049711.tif 000002
【特許請求の範囲】
【請求項１】
顔面全体を、比較的気密性のある布地で覆うように、吊り下げる事により、接触せずに、呼吸器又は顔面の保湿を得られるマスク。
【発明の詳細な説明】
【０００１】
【発明が属する技術分野】
本発明は、呼吸が楽にできるマスクに関する。
【０００２】
【従来技術】
マスクは、低温、低湿、の空気を加温，加湿して肺に送り込む鼻腔の作用を補ったりする為に、通常は直接鼻腔部にあてがって装着される。
【０００３】
【発明が解決しようとする課題】
マスク装着時には、鼻口がマスクで押さえつけられ、マスクを通して呼吸をするようにするため、多少息苦しくなることが否めない。就寝時には寝返りをうった時にマスクがはずれたり、耳に掛けるひも又はゴムがマスクのずれにより、耳のつけ根が引っぱられて、痛みが出ることがある。本発明は装着感をなくして、呼吸が楽にできるマスクを提供しようとするものである。
【０００４】
【課題の解決手段】
本発明のマスクはそのため、比較的気密性のある布地で、円錐形の形を作り上から吊り下げて、顔面全体を大きく覆うことによって、肌に接触せずに湿度を得るものである。
【０００５】
【発明の実施の形態】
図１に示す、比較的気密性のある布地を、ドーム又は円錐状に形づくり、円錐状と円筒状の境に、針金又はプラスチック等の、細い棒状のもので骨にする。円錐の頂上に紐をつけて吊るし、顔面全体を覆う。
【０００６】
【発明の効果】
本発明のマスクによると、マスクが直接肌に触れないため、窮屈な思いをせずに、自由に寝返りも出来るし、楽に就寝することができる。鼻や口のみならず顔全体に適度な湿度を得ることができる。肩幅くらいの大きさがあり、通常の大きさの枕であれば，枕ごと覆うため、冬は首筋からの寒さも緩和されるし，乾燥した空気から肌を守る効果がある。
【図面の簡単な説明】
【図１】マスクの斜視図
【図２】マスク装着時の斜視図
【符号の説明】
１　　　吊り下げ紐
２　　　布地
３　　　骨
【図１】
2004049711.tif 000003
【図２】
2004049711.tif 000004
(57)【要約】【課題】簡易な構成にして、長期間使用してもブラシ部がロッドから抜けにくく、耐久性があって、経済的なマスカラブラシを提供することを課題とする。【解決手段】ロッド１と、ロッド１に挿入されるブラシ部２とから成り、ブラシ部２は、２つ折りにした線材３の間に毛材４を挟んだ後線材全体をねじり締め、端部をカットすると共に、線材３のロッド１内挿入部５の適宜個所に１又は複数のかしめ部６を設けた。このかしめ部６があるために、線材３がロッド１から抜けにくくなる。【選択図】　　　　図１
2004049712.tif 000002
【特許請求の範囲】
【請求項１】
ロッドと、前記ロッドに挿入されるブラシ部とから成り、前記ブラシ部は、２つ折りにした線材の間に毛材を挟んだ後線材全体をねじり締め、端部をカットすると共に、前記線材の前記ロッド内挿入部の適宜個所に１又は複数のかしめ部を設けたものであることを特徴とするマスカラブラシ。
【請求項２】
前記端部のカットと前記かしめ部の形成が同時に行なわれる請求項１に記載のマスカラブラシ。
【発明の詳細な説明】
【０００１】
【発明が属する技術分野】
本発明は、マスカラブラシ、詳細には、まつ毛のカール等のために用いる、ブラシ部とこれを保持するロッドとから成るマスカラブラシに関するものである。
【０００２】
【従来の技術】
一般にマスカラブラシは、２つ折りにした線材の間に毛材を挟み、線材をねじり締めた後端部をカットしてブラシ部を形成し（図４参照）、これを、図示しないプラスチック製のロッド内に圧入して製造される。
【０００３】
このようにして製造されたマスカラブラシの場合、ブラシ部のロッド内挿入部は、単に線材をねじっただけの状態であるため、長期間使用するにつれ、ロッドとブラシ部との間に隙間が生じ、ブラシ部が抜けやすくなるという問題がある。
【０００４】
即ち、マスカラブラシは、まつ毛を巻き付けるようにして使用するので、使用時にブラシ部に対してこれを回転させようとする力が働く。そのために、使用するにつれてロッドとブラシ部との間に緩みが生じ、ブラシ部が抜けやすくなってくるのである。
【０００５】
【発明が解決しようとする課題】
上述したように従来のマスカラブラシには、長期間使用に伴ってブラシ部がロッドから抜けやすくなるという問題があったので、本発明はそのような問題のない、即ち、簡易な構成にして、長期間使用してもブラシ部がロッドから抜けにくく、耐久性があって、経済的なマスカラブラシを提供することを課題とする。
【０００６】
【課題を解決するための手段】
上記課題を解決するための本発明に係るマスカラブラシは、ロッドと、前記ロッドに挿入されるブラシ部とから成り、前記ブラシ部は、２つ折りにした線材の間に毛材を挟んだ後線材全体をねじり締め、端部をカットすると共に、前記線材の前記ロッド内挿入部の適宜個所に１又は複数のかしめ部を設けたものであることを特徴とするものである。
【０００７】
好ましくは、前記端部のカット作業と同時に、前記かしめ部の形成作業を行なうこととする。
【０００８】
【発明の実施の形態】
以下、本発明の実施の形態を添付図面に依拠して説明する。図１は本発明に係るマスカラブラシの縦断面図で、図中１はプラスチック製のロッドであり（図では上部のみ示されている。）、２は線材３と毛材４とから成るブラシ部である。ロッド１には、一端面から長さ方向に延びる挿入孔５が適宜深さに形成される。
【０００９】
ブラシ部２は、針金等の線材３を２つ折にして毛材４を挟んだ後、線材３全体をねじり締めして製造する。毛材４が挟み込まれない線材３の端部、即ち、挿入孔５内に挿入される部分は更に緊締し、端部を揃えるためにカットする。
【００１０】
この挿入孔５内挿入部には、適宜位置に１又は複数のかしめ部６を設ける。このかしめ部６の形成は単なるプレス作業によって行なうことができ、線材３の端部カット作業と同時に行なうことができる。
【００１１】
このようにかしめ部６を形成した線材３を、ロッド１に固定する。その固定方法としては、ブラシ部２を金型にセットして行なうインサート成形や、加熱圧入法等が考えられる。加熱圧入法は、線材３を高温加熱した後、ロッド１の挿入孔５内に圧入するもので、そのようにすることにより挿入孔５の内壁が若干溶融状態となり、線材３の隙間に喰い付き、線材３を確固と保持することができるようになる。
【００１２】
上記いずれの場合も、かしめ部６が横方向に張り出しているため、挿入孔５の内壁に埋入する状態となるので、線材３は挿入孔５内において一層確固と保持され、通常の使用方法下においては、長時間使用しても、ブラシ部２が緩んでロッド１から抜けることはなくなる。
【００１３】
【発明の効果】
本発明は上述した通りであって、簡易な構成にして、長期間使用してもブラシ部がロッドから抜けにくく、耐久性があって、経済的なマスカラブラシを提供することができる効果がある。
【図面の簡単な説明】
【図１】本発明に係るマスカラブラシ全体の構成を示す図である。
【図２】本発明に係るマスカラブラシのブラシ部の正面図である。
【図３】本発明に係るマスカラブラシのブラシ部の側面図である。
【図４】従来のマスカラブラシのブラシ部の正面図である。
【符号の説明】
１　ロッド
２　ブラシ部
３　線材
４　毛材
５　挿入孔
６　かしめ部
【図１】
2004049712.tif 000003
【図２】
2004049712.tif 000004
【図３】
2004049712.tif 000005
【図４】
2004049712.tif 000006
(57)【要約】【課題】背凭れ部の傾動を容易ならしめること。【解決手段】ヘッドボード３２の前面に一対のリンク機構４０・４０を介して背凭れ部３４を連結し、前記一対のリンク機構４０・４０から立設する一対のステー６０・６０の先端部に固定されたヘッドレスト７０を垂直方向に移動させたとき、前記ステー６０・６０が前記リンク機構４０・４０をして前記背凭れ部３４を前記ヘッドボード３２に対して傾動せしめるようにした、ベッド１０を構成した。【選択図】　図４
2004049748.tif 000002
【特許請求の範囲】
【請求項１】
ヘッドボードの前面に一対のリンク機構を介して背凭れ部を連結し、前記一対のリンク機構から立設する一対のステーの先端部に固定されたヘッドレストを垂直方向に移動させたとき、前記ステーが前記リンクをして前記背凭れ部を前記ヘッドボードに対して傾動せしめるようにした、ベッド。
【請求項２】
前記ヘッドレストは、電動機構により、垂直方向に移動されるようにしてなる、請求項１に記載のベッド。
【発明の詳細な説明】
【０００１】
【発明の属する技術分野】
本発明は、ベッドに関し、特にベッドのヘッドボードに対して傾動可能な背凭れ部に関する。
【０００２】
【従来の技術】
従来の此の形式のベッドは、例えば、特開２００１−３５３０４３号公報に開示されている。しかして、このベッドにおいては、背凭れ部がヘッドボードの内部に略面一となるように埋め込まれており、デザイン的には優れたものである。
【０００３】
【発明が解決しようとする課題】
しかしながら、背凭れ部をヘッドボードに対して傾動させて、斜め状態となった背凭れ部に体を横たえようとすると、最初に、背凭れ部をヘッドボードから少しく引き出さねばならず、使い勝手が良いとはいえなかった。
【０００４】
それ故に、本発明は、かような不具合のないベッドを提供することを技術的課題とする。
【０００５】
【課題を解決するための手段】
上記した課題を解決するために講じた手段は、請求項１記載のように、「ヘッドボードの前面に一対のリンク機構を介して背凭れ部を連結し、前記一対のリンク機構から立設する一対のステーの先端部に固定されたヘッドレストを垂直方向に移動させたとき、前記ステーが前記リンクをして前記背凭れ部を前記ヘッドボードに対して傾動せしめるようにした、ベッド」を構成したことである。
【０００６】
尚、請求項２で示すように、請求項１のベッドにおいて、ヘッドレストは、電動機構により、垂直方向に移動されるようにしても良い。
【０００７】
【発明の実施の形態】
以下、本発明にかかるベッドの実施の形態を、具体的に説明する。
【０００８】
図１〜図４において、ベッド１０は、マットレス２０が載置されるフレーム３０を備える。フレーム３０の一端部には、ヘッドボード３２が固定されており、その先端部はマットレス２０の表面に対して、所定の高さを有している。
【０００９】
ヘッドボード３２の前面つまりフット側の面には、一対のリンク機構４０を介して背凭れ部３４が、並設されている。すなわち、ヘッドボード３２の前面に突設されたブラケット４２には、ピン４４により、下アーム４６の下端部が枢支されている。下アーム４６の上端部には、ローラ４８が回転可能に装架されており、このローラ４８は、常時、背凭れ部３４の背面と当接している。
【００１０】
背凭れ部３４の背面内部の端部には、ピン５０により、ブラケット５２及び上アーム５４の上端部が枢支されている。しかして、上アーム５４の下端部は、ピン５６により、下アーム４６の上端部近傍に枢支されている。下アーム４６、上アーム５４及びブラケット５２がリンク機構４０を構成する。
【００１１】
リンク機構４０・４０のブラケット５２・５２には一対のステー６０・６０が立設されており、この一対のステー６０・６０の先端部は、ヘッドレスト７０を支持・固定する。ヘッドレスト７０からは、一対のステー６０・６０間において、一対のガイドバー６２・６２が延出し、ヘッドボード３２の前面に固定されたボックス６６内において、スライダー６８に固定される。
【００１２】
スライーダ６８の下部は、ヘッドボード３２の前面に固定された電動モータ７２により上下動されるスクリュー軸７４に連結されている。しかして、電動モータ７２の一方向（他方向）への駆動によるスクリュー軸７４の上（下）動に従い、スライーダ６８がボックス６６内を上（下）動し、このスライーダ６８の上（下）動により、ガイドバー６２及びステー６０が上（下）動することになる。
【００１３】
図１及び図２に示す状態においては、ヘッドボード３２と背凭れ部３４とは、略垂直方向に平行しているが、電動モータ７２の他方向への駆動によりスクリュー軸７４が下動すると、スライーダ６８がボックス６６内を下動し、ステー６０を下動させる。このステー６０を下動により、リンク機構４０の上アーム５４がヘッドボード３２から前向にせり出して、つまり上アーム５４と下アーム４６とがなす角度が漸次小さくなる態様で上アーム５４と下アーム４６とが背凭れ部３４に対して回動し、結果、図３及び図４に示すように、背凭れ部３４が、その下端部がヘッドボード３２から所定距離だけ飛び出した態様で、ヘッドボード３２に対して傾き、使用者が安息体勢をとることが出来るようになる。
【００１４】
尚、ヘッドボード３２の上下動は、上記した電動に代えて手動でも可能であるが、この場合、ガイドバー６２を所望の位置に保持する手段を、ガイドバー６２とボックス６６との間に設ける必要がある。
【００１５】
【発明の効果】
本発明によれば、ヘッドレストを操作するだけで、背凭れ部の傾動を調整による背凭れ部のヘッドレストに対する角度の設定を容易に行え、実用上、多大な効果を奏する。
【図面の簡単な説明】
【図１】本発明に係るベッドの外観斜視図。
【図２】図１に示すベッドにおけるヘッドボードと背凭れ部との連結関係を示す透視斜視図。
【図３】図１に示すベッドにおいて背凭れ部を傾動させたときの斜視図。
【図４】図３に示すベッドにおけるヘッドボードと背凭れ部との連結関係を示す透視斜視図。
【符号の説明】
３２　ヘッドボード
３４　背凭れ部
４０　リンク機構
７０　ヘッドレスト
７２　電動モータ
【図１】
2004049748.tif 000003
【図２】
2004049748.tif 000004
【図３】
2004049748.tif 000005
【図４】
2004049748.tif 000006
(57)【要約】【課題】紙管に芳香剤等を付与するための特別な手段や工程を要せずに、ペーパーロール全体に香りを放つ芳香剤を容易に付与できるトイレットペーパーロールを提供する。【解決手段】紙管２にトイレットペーパー３をロール状に巻きつけ、そのトイレットペーパー３の終端５近傍に、芳香剤７と接着剤６を付与する。【選択図】　　　　図１
2004049724.tif 000002
【特許請求の範囲】
【請求項１】
紙管にトイレットペーパーをロール状に巻きつけ、その巻きつけたトイレットペーパーの終端近傍に、芳香剤を加えた接着剤を付与したトイレットペーパーロール。
【請求項２】
紙管にトイレットペーパーをロール状に巻きつけ、その巻きつけたトイレットペーパーの終端近傍に、芳香剤と接着剤を別々に付与したトイレットペーパーロール。
【発明の詳細な説明】
【０００１】
【発明の属する技術分野】
本発明は、ロール状に巻きつけたトイレットペーパーの終端近傍に、芳香を付与するための芳香剤を付与したトイレットペーパーロールに関する。
【０００２】
【従来の技術】
従来、トイレットの臭気消臭用としては、固形の防臭剤や、種々の芳香を持たせた芳香剤を紐あるいは網で吊り下げたり、通気孔を設けたケースに納めたもの等があり、その消臭のために芳香剤あるいは消臭剤が使用されている。
【０００３】
しかしながら、上記従来の消臭剤は自ずと空気中に発散して消耗し消臭効果が薄れるので、新規の消臭剤と交換したり、消臭剤の補充をしなければならず、取扱が面倒であるという問題があった。
【０００４】
そこで、上記の問題を解決するため、トイレットペーパーロール自体に芳香効果を持たせることが採られてきており、例えば実開昭５５−７７４９３号の芳香効果を有するトイレットペーパーロールの考案、実開昭５６−１１１８９０号のトイレットペーパーの防臭剤コーティングの考案、実開昭６０−１９１２９４号のトイレットペーパーの中芯の考案および実開昭６４−２８１９４号のロール式トイレットペーパー用紙管の考案、さらには、特開昭６３−２８２４００号のロール式トイレットペーパーの製造方法および特開平１１−１９７０５４号の香料入りロール式トイレットペーパー用紙管とトイレットペーパー包装体の発明等においては、トイレットペーパーをロール状に巻きつける紙管に芳香剤や消臭剤等を付与しているものが開示されている。
【０００５】
しかしながら、このように紙管に芳香剤等を塗布、またはコーティングさせたり、含浸させるために特別なそれらの付与手段や工程が必要となり、それがトイレットペーパーのコスト高の一因になっている。
【０００６】
【発明が解決しようとする課題】
本発明は、紙管に芳香剤等を付与するための特別な手段や工程を要せずに、ペーパーロール全体にソフトな香りを放つトイレットペーパーロールを提供する。
【０００７】
【課題を解決するための手段】
本発明は、紙管にトイレットペーパーをロール状に巻きつけ、その巻きつけたトイレットペーパーの終端近傍に、芳香剤を加えた接着剤を付与したトイレットペーパーロールからなり、また本発明は、紙管にトイレットペーパーをロール状に巻きつけ、その巻きつけたトイレットペーパーの終端近傍に、芳香剤と接着剤とを別々に付与したトイレットペーパーロールからなる。
【０００８】
【発明の実施の形態】
以下図面を参照して本発明の実施の形態を説明するが、図１は本発明のトイレットペーパーロールの一実施形態における概略斜視図である。
【０００９】
まず、図１のトイレットペーパーロール１は、その芯材となる中空の円筒形状を有する紙管２の外周にトイレットペーパー３を巻きつけたものであり、トイレットなどで使用時には、その紙管２の内側に、図示されていないペーパー取付け器具に支持された支持棒を挿入して、トイレットペーパー３の終端５から引き出して使用するものである。なお、上記の支持棒を使用せずにペーパー取付け器具に適切に設けられた別の支持部材などで紙管２の内側を回動自在に直接保持する形式のものもある。
【００１０】
次に、上記のトイレットペーパーロール１は、製造時に紙管２に巻きつけたトイレットペーパー３の終端５の近傍に図１のごとく接着剤６を付与して軽く接着しているが、本発明ではその接着剤６に芳香剤７を加えており、これにより接着剤６から芳香性物質が放出され、包装紙で包まれている段階ではトイレットペーパーロール１全体を芳香が包み込むようにしている。
【００１１】
この芳香剤７としては、一般に市場に出ている香料、着香料、消臭剤等でトイレット内にその香りが持続してトイレット内の悪臭が感じられなくなるようなものを使用する。
【００１２】
次に、図２は本発明の他の実施形態におけるトイレットペーパーロール１を示しており、図１とほぼ同様な構成からなっており、それぞれ同じ部品は同じ符号で示しているが、図２の実施形態では、紙管２に巻きつけたトイレットペーパー３の終端５近傍に、芳香剤７と接着剤６を別々に付与したものであり、これにより図１と同様な効果を持たせている。
【００１３】
上記図１及び図２のトイレットペーパーロール１は工場で製造された時、１個ずつ香りが放散しない材料の包装紙でラッピングされて貯蔵され、出荷され、消費者に配送される間に、芳香剤７は包装紙の内部で放散して、トイレットペーパー３及び紙管２全体にその香りが自然に伝播し、トイレット内でこの包装紙を除去して使用することにより、それまでにトイレットペーパーロール１全体に浸透した芳香が放散され、その後はトイレットペーパー全体に浸透した芳香が放散され続けられる。
【００１４】
【発明の効果】
以上に説明した本発明のトイレットペーパーロールによれば、従来のごとき紙管に芳香剤を付与するためのような特別な手段や、工程が不要となり、しかも従来から紙管２にトイレットペーパー３を巻きつけて、その終端近傍に接着剤を付与していたその接着剤付与手段を利用できるのでコスト低減に大いに寄与できる。
【００１５】
また、接着剤と芳香剤とを別々にトイレットペーパーの巻きつけ終端近傍に付与する場合は、ただ単に従来から使用している接着剤付与手段の近傍に芳香剤付与手段を並設するだけで達成できるという利点を有する。
【００１６】
さらに本発明では従来の方法とちがい、トイレットペーパーの最外側に芳香剤を付与するようにしたために、トイレットペーパーロールが包装されて運搬、貯蔵している段階で芳香がトイレットペーパーの外側から中心方向に伝播されるので、トイレットペーパー全体にわたってソフトに芳香が浸透し、きつくない香料が全体にわたって付与されるので心地よい香りを最後まで持続させることができる。
【図面の簡単な説明】
【図１】本発明のトイレットペーパーロールの一実施形態における概略斜視図である。
【図２】本発明のトイレットペーパーロールの他の実施形態における概略斜視図である。
【符号の説明】
１　　トイレットペーパーロール
２　　紙管
３　　トイレットペーパー
５　　終端
６　　接着剤
７　　芳香剤
【図１】
2004049724.tif 000003
【図２】
2004049724.tif 000004
(57)【要約】【課題】外眼部感染症の病態モデル動物およびその作製方法を提供すること。【解決手段】動物の眼瞼結膜下に、シリカゲル含有カザミノ酸水溶液に懸濁した細菌を接種し、感染を惹起することを特徴とする麦粒腫病態モデル動物の作製方法および該方法で作製された麦粒腫病態ウサギ。【効果】外眼部感染症である麦粒腫の病態モデル動物を作製することができ、作製された麦粒腫病態モデル動物を使用することで抗菌薬の薬効評価をより的確に行うことができる。【選択図】なし【特許請求の範囲】
【請求項１】
眼瞼結膜下に、シリカゲル含有カザミノ酸水溶液に懸濁した細菌を接種し、感染を惹起することを特徴とする麦粒腫病態モデル動物の作製方法。
【請求項２】
病態モデル動物がウサギである請求項１記載の麦粒腫病態モデル動物の作製方法。
【請求項３】
眼瞼結膜下に、シリカゲル含有カザミノ酸水溶液に懸濁した細菌が接種され、感染が惹起されたヒト麦粒腫に類似する病態を呈するウサギ。
【発明の詳細な説明】
【０００１】
【発明の属する技術分野】
本発明は、麦粒腫の病態モデル動物の作製方法およびその方法により作成された麦粒腫の病態モデル動物に関する。
【０００２】
【従来の技術】
麦粒腫（ものもらい）は、睫毛腺または瞼板腺の細菌感染による急性化膿性炎症であり、自覚症状および他覚的所見も顕著なことから、早期に治癒が望まれる疾患である。
麦粒腫の起炎菌は、黄色ブドウ球菌（Ｓｔａｐｈｙｌｏｃｏｃｃｕｓ　ａｕｒｅｕｓ）や表皮ブドウ球菌（Ｓｔａｐｈｙｌｏｃｏｃｃｕｓ　ｅｐｉｄｅｒｍｉｄｉｓ）が大半を占めていることから、その治療には、ブドウ球菌に感受性のある抗菌薬を、症状に合わせて、局所または全身投与が行われる。
一方、麦粒腫などの外眼部感染症に対する薬効評価を行う上で、適切な動物感染モデルが存在することは重要である。外眼部感染症の病態モデルとして、例えば、角膜を傷付けた上で、角膜へ菌液を滴下して作製される緑膿菌角膜感染ウサギモデル（あたらしい眼科，　Ｖｏｌ．１３，　Ｎｏ．２：　２４９−２５３，　１９９６）、結膜を傷つけた上で、黄色ブドウ球菌液を注入して作製される結膜炎モデルウサギ（Ｇｅｒｍａｎ　Ｊ．　Ｏｐｈｔｈａｌｏｍｏｌ，　Ｖｏｌ．２：　４０９−４１１，　１９９３）が知られている。
【０００３】
【発明が解決しようとする課題】
本発明の目的は、麦粒腫の病態モデル動物の作製方法およびその方法により作製された麦粒腫の病態モデル動物を提供することにある。
【０００４】
【課題を解決するための手段】
本発明者らは、外眼部感染症、とりわけ、麦粒腫の病態モデル動物の作製について鋭意検討した結果、シリカゲル含有カザミノ酸水溶液に懸濁したブドウ球菌を用いてヒトの麦粒腫に類似した病態を呈するウサギ感染モデルの作製することに成功し、本発明を完成するに至った。
【０００５】
【発明の実施の形態】
本発明の麦粒腫感染モデルの作製方法は、眼瞼結膜下に、シリカゲル含有カザミノ酸水溶液に懸濁した細菌を接種し、感染を惹起することを特徴とするものである。また、本発明の病態モデル動物は、眼瞼結膜下に、シリカゲル含有カザミノ酸水溶液に懸濁した細菌が接種され、感染が惹起されたヒト麦粒腫に類似する病態を呈する麦粒腫の病態モデル動物である。
【０００６】
本発明に使用される細菌は、麦粒腫の起炎菌であれば特に限定されないが、ブドウ球菌が好ましく、特に黄色ブドウ球菌または表皮ブドウ球菌が特に好ましい。本発明に使用される動物は、ヒトを除く哺乳類であれば、特に限定されないが、実験用に使用されるサル、イヌ、ウサギなどが挙げられ、特に、ウサギ日本白色在来種およびウサギニュージーランド白色種などの実験用ウサギが好ましい。
【０００７】
本発明の作製方法は、具体的には、（１）培養した細菌菌体を、（２）シリカゲル含有カザミノ酸溶液に懸濁し、（３）動物の眼瞼結膜下に接種し、（４）感染を惹起することを特徴とする方法である。この方法により、麦粒腫に類似の症状を呈する病態モデル動物を作製することができる。
本発明に使用されるシリカゲルの粒子は、１〜２００μであればよく、好ましくの２〜４５μの粒子サイズのものが好ましい。
シリカゲル含有カザミノ酸水溶液におけるシリカゲルの含量は、０．１〜２．０重量％、好ましくは、０．５〜１．５重量％である。また、カザミノ酸の含量は、０．１〜２．０重量％、好ましくは、０．５〜１．５重量％である。
シリカゲル含有カザミノ水溶液に懸濁した細菌の結膜下への接種菌量は、菌種によって異なるが、１０３〜１０８ＣＦＵ（Ｃｏｌｏｎｙ　Ｆｏｒｍａｔｉｏｎ　Ｕｎｉｔ）／眼瞼結膜であればよい。
接種菌液の量は、動物、菌量などにより適宜決めればよいが、ウサギにおいては、１０〜１００μＬ、好ましくは、４０〜６０μＬである。
本発明方法によれば、菌接種後、１〜５日で膿点が生じ、菌接種１４日後においても膿点を観察することができる。
【０００８】
【実施例】
以下、実施例により本発明を具体的に説明する。
実施例１
菌株：結膜炎由来黄色ブドウ球菌（Ｓｔａｐｈｙｌｏｃｏｃｃｕｓ　ａｕｒｅｕｓ）および表皮ブドウ球菌（Ｓｔａｐｈｙｌｏｃｏｃｃｕｓ　ｅｐｉｄｅｒｍｉｄｉｓ）
動物：ウサギ（日本白色在来種）
方法：ミューラー・ヒントン寒天（Ｍｕｅｌｌｅｒ−Ｈｉｎｔｏｎ　ａｇａｒ：ＭＨＡ）平板上にて３７℃で一夜培養した菌を、ブレイン・ハート・インフュージョン・ブロス（Ｂｒａｉｎ　Ｈｅａｒｔ　Ｉｎｆｕｓｉｏｎ　Ｂｒｏｔｈ）１０ｍＬに接種して、３７℃で一夜培養後、菌液を室温、３０００ｒｐｍ、１０分間遠心して、培養液を除去した。得られた菌体に、１％シリカゲル（Ｓｉｌｉｃａ　ｇｅｌ　Ｇ，　Ｍｅｒｃｋ　Ａｒｔ．７７３１）含有１％カザミノ酸溶液を１ｍＬ加え、良く懸濁したものを公比１０で段階希釈して、各々を接種菌液とした。ペントバルビタールナトリウムの静脈内投与による全身麻酔並びに塩酸オキシブプロカインの点眼による角結膜表面麻酔を施したウサギの上下眼瞼結膜下に、調製した菌液の５０μＬを２５Ｇの注射針をつけた注射筒を用いて接種して、感染を惹起した。感染後、膿点の有無を観察した。また、経日的に、ウサギの全身麻酔並びに角結膜表面麻酔下にて、ダブルレベルスリットナイフで膿点に傷をつけ、膿点内容物を採取して、菌量を測定した。採取した膿点内容物の重量を測定後、滅菌生理食塩液３００μＬを添加して、ホモジナイズした。作製したホモジネートを滅菌生理食塩液で段階希釈し、その５０μＬをＭＨＡ平板に塗布して、３７℃で一夜培養後、菌数を計測して、膿１ｍｇ当たりの菌量を算出した。
結果：黄色ブドウ球菌では、約５×１０３ＣＦＵ／眼瞼結膜以上の菌量で、また、表皮ブドウ球菌では、約２×１０６ＣＦＵ／眼瞼結膜以上の菌量で接種１〜５日後に膿点を生じ、黄色ブドウ球菌では約５×１０７ＣＦＵ／眼瞼結膜以上の菌量で、菌接種１４日後も膿点を認めた。また、両菌株において、接種菌量に依存して膿点内容物中から接種菌が回収された。
【０００９】
【発明の効果】
本発明の方法により、外眼部感染症である麦粒腫の病態モデル動物を作製することができ、作製された麦粒腫病態モデル動物を使用することで抗菌薬の薬効評価をより的確に行うことができる。
(57)【要約】【課題】消火液収納容器の下面に照明器具を配備することにより、通常の照明器具としての調和が得られて圧迫感や違和感がなくなり商品価値の低下もなくなる天井設置タイプの自動消火装置を得る。【解決手段】感知部付きノズル２の感知部の作動により消火液収納容器１内の消火液を感知部付きノズル２から下方に放出する天井設置タイプの自動消火装置であって、天井設置の消火液収納容器１の下面に保持金具４により照明器具（サークライン３）を配備してなる。【選択図】　　　　図１
2004049253.tif 000002
【特許請求の範囲】
【請求項１】
感知部の作動により消火液を下方に放出する天井設置タイプの自動消火装置であって、天井設置の消火液収納容器の下面に照明器具を配備したことを特徴とする天井設置タイプの自動消火装置。
【請求項２】
照明器具をサークラインとしてこれを消火液収納容器の下面にその消火液放出部分を囲むように配備したことを特徴とする請求項１記載の天井設置タイプの自動消火装置。
【請求項３】
消火液を放出したことを、照明器具の電気配線を利用して報知するようにしたことを特徴とする請求項１または２記載の天井設置タイプの自動消火装置。
【発明の詳細な説明】
【０００１】
【発明の属する技術分野】
この発明は、感知部の作動により消火液を下方に放出する天井設置タイプの自動消火装置に関するものである。
【０００２】
【発明が解決しようとする課題】
従来のこの種の天井設置タイプの自動消火装置は、消火液収納容器，即ち小さいとはいえタンク状のものが天井にぶら下がることになるので、居住者がこれによって圧迫感を受けてそのために商品価値が下がるという問題点がある。
【０００３】
【課題を解決するための手段】
この発明に係る天井設置タイプの自動消火装置はかかる問題点を解消するためになされたもので、消火液収納容器の下面に照明器具を配備することにより、通常の照明器具としての調和が得られて圧迫感や違和感がなくなり商品価値の低下もなくなる。
【０００４】
【発明の実施の形態】
この発明の一実施の形態を図１，図２について説明する。図１は装置全体を概略的に示す一部縦断側面図、図２は図１を下からみた図である。
【０００５】
図において、１は天井に設置した消火液収納容器（胴体）、２は消火液収納容器１の下面中央にある感知部付きノズル、３は消火液収納容器１の下面に配備したサークライン、４は消火液収納容器１に取り付けたサークライン３の保持金具、５は保持金具４に設けたルーバ、６はサークライン３に接続した電源、７は電源６のプルスイッチである。
【０００６】
日常的にはプルスイッチ７の操作によりサークライン３として使用できるので、通常の照明器具であり、圧迫感や違和感のない照明器具としての調和が得られる。そして、感知部付きノズル２が火災を感知すると、これより消火液収納容器１内の消火液が下方に放出され、つまり自動消火装置として動作する。
【０００７】
このように照明器具をサークライン３としておくと、通常円形のタンク状をしている消火液収納容器１との形状的な調和が図れるのでその効果はさらに高まるし、またこのサークライン３の円内部分にある消火液収納容器１の下面が照明の反射面となるので照明効果も向上する。
【０００８】
その際、図示のようにルーバ５を設ける必要はないが、勿論その形状も図示のものに限らないし、電源６やプルスイッチ７もいかなる構成のものであっても良いは勿論である。
【０００９】
さらに、このように本消火装置を照明器具（サークライン３）と一体化することにより、今まで消火装置としての最適の設置場所に照明器具があることにより消火装置を最適場所に設置できなかったのが、かかる照明器具による設置場所の制約を受けることなく、最適な設置位置（場所）に消火装置の設置が可能になる。
【００１０】
上記実施の形態において、消火液を放出したことを照明器具（サークライン３）の電気配線（内外すべての配線）を利用して報知するようにすると、別個の報知回線を設けなくてもすでにある電気配線を使って火災警報を出したり，その防災管理を行うことができる。
【００１１】
【発明の効果】
以上のように、この発明によれば消火液収納容器の下面に照明器具を配備するので、通常の照明器具としての調和が得られて圧迫感や違和感がなくなり商品価値の低下もなくなるという効果が得られる。
【図面の簡単な説明】
【図１】この発明の一実施の形態を示す装置全体の一部縦断概略側面図である。
【図２】図１を下からみた図である。
【符号の説明】
１　消火液収納容器
２　感知部付きノズル
３　サークライン
４　保持金具
６　電源
【図１】
2004049253.tif 000003
【図２】
2004049253.tif 000004
(57)【要約】【課題】病人等が、布団上で自身の少量の力で容易に動く事ができ、動いた後も直す手間がかからず、リハビリにも使えて介護者の負担も軽減できるシートを安価で製造し提供すると共に、従来のシーツよりより少ない力で病人等を移動させる事が出来て、病人と介護者への負担を軽減させるシーツを提供すること。【解決手段】その為、表面が滑る特性を持った２枚のシートを重ねて使用する事で、非常に滑りやすい接着面が出来る事を利用し、布団と人に接する面は滑りを防止する布等を縫いつけ、体を安定させて、腰の下に敷き、病人が自身の少量の力で体を移動したり回転したりできるシートを作り、それをゴム等の弾性体で一定の長さを保って繋ぐ事で、課題を解決した。又それをシーツにする事で病人を乗せたまま少しの力で布団から布団への移動が出来る様にして介護者の腰等の負担も軽減出来る様にした。【選択図】　　　　　　図２
2004049245.tif 000002
【特許請求の範囲】
【請求項１】
表面が滑る特性を持つ素材を二枚重ねて使用する事を特徴とし、裏面は滑りを防止して吸汗性のある素材を縫いつけ、表面は滑るままにしたものを、滑る面どおしを重ね、２枚を重ねて布団の上に敷いて使用する事を特徴とする医療及び介護用シート。
【請求項２】
表面が滑る特性を持つ素材を、一面は滑るままとし、他面は滑りを防止する素材を縫いつけたシートに、同じ様にしたもう一枚のシートを、滑る面どうしを重ね、とても滑りやすい接着面を作り、二枚を重ねる事で非常に滑り易いのに、人と布団に接する他面は摩擦により安定するという特徴を持ち、二枚のシートをゴム等の弾性体で一定の長さを保って繋ぐ事で、寝ている人が動きやすく、又弾性体の働きによって、動きにより滑ってずれたシートが自然に元の重なり状態に戻り易いと言う特徴を持つ医療及び介護用シート。
【請求項３】
請求項２のシートを、シーツの大きさにし、二枚のシーツが動かない様に適時取り外しが可能な留め具をシーツの周りに付けて布団に敷き、病人等を別の場所に移動させる時、留め具を外しシーツを滑らせ、病人は動く事なく容易に移動させることが出来る請求項２記載の医療及び護用シーツ。
【発明の詳細な説明】
【０００１】
【発明の属する技術分野】
本発明は医療機関や施設家庭等で、手術後の患者や麻痺のある人、寝たきりの人等の布団の上に敷いて使う医療及び介護用シート及びシーツに関する。
【０００２】
【従来の技術】
従来のシートは布団に横臥する人の腰部や臀部に敷いて布団の汚れを防ぐ事を目的とした物や、寝返りが楽に出来る用に一枚のシーツを使い滑らせたり、移動を楽に出来る物があった。又、特願平１０−１９１７６８のように、シーツの素材を滑り易くしたものや、褥そうを予防するため通気性を高めたシーツ等があった。
【０００３】
【発明が解決しようとする課題】
従来のシートでは、布団に寝ている人が自身の少しの力で体位変換したり、自分の力で楽に移動したりする事を目的としたものはなく、その為病人等は、常に同じ姿勢で寝ていることが多く、褥そうが出来易い状況にあった。実際痛みや麻痺のある人が自身の少しの力で動けるような滑るシートはなく、動く意欲も損なわれた。又、体全体が１枚の滑る素材の上に横臥している場合は自身で体位変換するのは、より力が必要であると共に身体の安定が保てないという事もあった。また病人を移動させるには、シーツを持ち上げるか病人を滑らせる為、介護者も病人にも負担になるものだった。
【０００４】
【課題を解決するための手段】
表面が滑る特性を持つ素材、ポリエステル・ビニール・ポリエチレン等を、二枚重ねて使用する。一面は滑るままにし、他面は吸汗性のある素材を縫いつけ滑りを防止する。もう一枚も同様にして、滑る面同士を重ね合わせる事で非常に滑り易い接着面が出来る。それを、寝ている人の臀部を中心にして布団の上に敷く。人と布団に接する他面は摩擦により安定し、接着面は非常にすべるシートを提供する事により、寝ている人は、背中と足で安定を保ち、体の中心の腰や臀部は下に敷いたシートにより自身の少ない力で自由に動かす事が出来る。また介護者も腰や臀部を滑らせるだけで移動や体位交換が出来るので負担の軽減になり、上記課題を解決した。また前記のシートをシーツの大きさにし、接着面がずれないように適時取り外せる留め具を付け、人の移動時は留め具を外しシーツを滑らせる事で寝ている人は動かす事なく簡単に移動できるシーツを提供し課題を解決した。
【０００５】
【発明の実施の形態】
以下、本発明の実施の形態を図面に基づいて説明する。図１は二枚のシートを３のゴムで適度な長さ１０ｃｍぐらいを保って繋ぎ（Ｐ）、４の固定するひもを付けたところをしめす。適度な長さを保つことで寝ている人が動きやすく、上下２０ｃｍ上左右はシートの幅の動きができる。ゴムを輪のようにして繋ぐことにより、人が起きた時や動いたあとで、ゴムの戻る力により自然に元の重なり状態になり、シートを元に戻す手間が省ける。４は布団に接するシートを固定するひもで、寝ている人に邪魔にならない太さのものにする。
【０００６】
図２は２枚のシートを重ねた所を示し、滑る一面の１が内で重なり非常に滑りやすい面６を作り、この作用によりシートがスムーズに動く。布を縫いつけた他面５は人と布団に接し、体がシートからずれない働きをする。このシートを人の臀部を中心にして敷く事により、人と布団に接する他面は動かないで、接着面だけが非常に滑りやすいので、寝ている人は、背中と足で安定を保ち、足と腕の少量の力で、腰と臀部を動かせ、上下左右回転等の動きが簡単に行える。
【０００７】
図３は、人の腰と臀部を中心にシートを敷いた状態を示し、体の中心である此の位置に敷く事で寝ている人は腕や足の力だけで、体を自由に動かす事が出来る。また、このシートをシーツの大きさにして、布団全体に敷き、二枚のシーツが動かない様に適時取り外せる留め具をシーツの周りに付けて通常時は使用し、移動時は留め具を外し、移動させる布団の上に滑る一面を上にしたシーツを一枚敷き、人が寝ているシーツのみを引っ張って、そこに重ねる様にすることで、人は動かす事なく、人への負担も少なく、介護者は少量の力で患者の移動を行え腰等の負担が軽減される。
【０００８】
【発明の効果】
この発明により、手術後の患者や麻痺のある人あるいは病人等は、布団上で、自分の少しの力で移動や回転が出来る様になるので、移動に伴う痛みの軽減や体位変換が自身で容易に出来るようになる。また布団上で手や足のリハビリが可能となり、手や腕また足脚部が弱るのを予防出来る。物を取る動作やベットから降りる動作が楽に出来て、シーツ交換の時も容易に移動出来るので、介護者の負担を減らす事ができる。又、ずれたシートは戻す手間が省け便利である。シーツにすると、布団から布団への移動が高さをそろえることで少量の力で出来、介護者の腰への負担を減らすと共に、患者への移動に伴う負担も軽減できる。
【図面の簡単な説明】
【図１】二枚のシートをゴムで繋いだ図
【図２】二枚のシートを重ね滑らせた状態の図
【図３】シートとシーツの使用例の図
【符号の説明】
１・・・滑る一面
２・・・ゴムを通す穴
３・・・ゴム
４・・・固定するひも
５・・・布を付けた他面
６・・・非常に滑る接着面
７・・・シーツを固定する留め具
【図１】
2004049245.tif 000003
【図２】
2004049245.tif 000004
【図３】
2004049245.tif 000005